(57)【特許請求の範囲】
【請求項１】
弁胴の上流側及び下流側に設けられた筒状の可動シートのシート面を、閉状態の弁体におけるシート面に圧接させ流体を遮断するようにした入口弁において、上記可動シートを開側或は閉側に作動させる各圧力室、及び上記入口弁の上流側水圧鉄管の水圧を検出し、水圧が所定値に達したとき警報を発生する水圧監視装置を設けたことを特徴とする入口弁。
【請求項２】
可動シートを開側或は閉側に作動させる各圧力室への給水管に、圧力検出装置からの水圧信号によって作動する自動配圧弁を設けたことを特徴とする、請求項１記載の入口弁。
【請求項３】
弁胴の上流側及び下流側に設けられた筒状の可動シートのシート面を、閉状態の弁体におけるシート面に圧接させ流体の遮断を行うとともに、上記可動シートを開側或は閉側に作動させる各圧力室、及び入口弁の上流側水圧鉄管の水圧を監視し、水圧が所定値に達したとき警報を発生する水圧監視装置を設けた入口弁において、入口弁が閉状態の時、上流側可動シートが開側に位置し下流側可動シートが閉側に位置した状態で、下流側可動シートと弁体の両シート面からの漏水により水圧鉄管内の水圧が自励振動を起こし、水圧鉄管の水圧が所定値に上昇したことが上記水圧監視装置で感知された場合に、前記上流側可動シートを閉側に作動させ自励振動を収束させることを特徴とする入口弁の自励振動防止方法。
【請求項４】
弁胴の上流側及び下流側に設けられた筒状の可動シートのシート面を、閉状態の弁体におけるシート面に圧接させ、流体の遮断を行うとともに、上記可動シートを開側或は閉側に作動させる各圧力室、及び入口弁の上流側水圧鉄管の水圧を監視し、水圧が所定値に達したとき警報を発生する水圧監視装置を設けた入口弁において、入口弁が閉状態の時、上流側可動シートが開側に位置し下流側可動シートが閉側に位置した状態で、下流側可動シートと弁体の両シート面からの漏水により水圧鉄管の水圧が自励振動を起こし、水圧鉄管の水圧が所定値に上昇したことが上記水圧監視装置で感知された場合に、前記下流側可動シートを開側へ作動させ自励振動を収束させることを特徴とする、入口弁の自励振動防止方法。
【請求項５】
弁胴の上流側及び下流側に設けられた筒状の可動シートのシート面を、閉状態の弁体におけるシート面に圧接させ、流体の遮断を行うとともに、上記可動シートを開側或は閉側に作動させる各圧力室、及び入口弁の上流側水圧鉄管の水圧を監視し、水圧が所定値に達したとき警報を発生する水圧監視装置を設けた入口弁において、入口弁が閉状態のとき、上流側可動シートが開側に位置し下流側可動シートが閉側に位置した状態で、下流側可動シートと弁体の両シート面からの漏水により水圧鉄管の水圧が自励振動を起こし、水圧鉄管の水圧が所定値に上昇したことが上記水圧監視装置で感知された場合に、上記入口弁の下流側に設けられた水車またはポンプ水車のガイドベーンを開側に作動させ自励振動を収束させることを特徴とする、入口弁の自励振動防止方法。
【請求項６】
弁胴の上流側及び下流側に設けられた筒状の可動シートのシート面を、閉状態の弁体におけるシート面に圧接させ、流体の遮断を行うとともに、上記可動シートを開側或は閉側に作動させる各圧力室、及び入口弁の上流側水圧鉄管の水圧を監視し、水圧が所定値に達したとき警報を発生する水圧監視装置を設けた入口弁において、入口弁が閉状態のとき、上流側可動シート及び下流側可動シートが閉側に位置した状態で、可動シートと弁体の両シート面からの漏水により水圧鉄管の水圧が自励振動を起こし、水圧鉄管の水圧が所定値に上昇したことが上記水圧監視装置で感知された場合に、上流側可動シートと下流側可動シートの両者を開側へ作動させ自励振動を収束させることを特徴とする、入口弁の自励振動防止方法。
【請求項７】
弁胴の上流側及び下流側に設けられた筒状の可動シートのシート面を、閉状態の弁体におけるシート面に圧接させ、流体の遮断を行うとともに、上記可動シートを開側或は閉側に作動させる各圧力室、及び入口弁の上流側水圧鉄管の水圧を監視し、水圧が所定値に達したとき警報を発生する水圧監視装置を設けた入口弁において、入口弁が閉状態のとき、上流側可動シートが開側または閉側に位置し下流側可動シートが閉側に位置した状態で、可動シートと弁体の両シート面からの漏水により水圧鉄管の水圧が自励振動を起こし、水圧鉄管の水圧が所定値に上昇したことが上記水圧監視装置で感知された場合に、鉄管内の水を水車またはポンプ水車の吸出管または外部に排出するため水圧鉄管に接続された排水管に設けられた排水弁を開き、自励振動を収束させることを特徴とする、入口弁の自励振動防止方法。
【請求項８】
弁胴の上流側及び下流側に設けられた筒状の可動シートのシート面を、閉状態の弁体におけるシート面に圧接させ、流体の遮断を行うとともに、上記可動シートを開側或は閉側に作動させる各圧力室、及び入口弁の上流側水圧鉄管の水圧を監視し、水圧が所定値に達したとき警報を発生する水圧監視装置を設けた入口弁において、入口弁が閉状態のとき、上流側可動シートが開側または閉側に位置し下流側可動シートが閉側に位置した状態で、可動シートと弁体の両シート面からの漏水により水圧鉄管の水圧が自励振動を起こし、水圧鉄管の水圧が所定値に上昇したことが上記水圧監視装置で感知された場合に、一本の導水管から分岐された複数の水路に設けられている水車のうち、上記水圧鉄管の水圧上昇が感知された水車とは別の水車の入口弁を開き、自励振動を収束させることを特徴とする、入口弁の自励振動防止方法。
【発明の詳細な説明】
【０００１】
【発明の属する技術分野】
本発明は、水車またはポンプ水車の入口弁、及びその入口弁の自励振動防止方法に関する。
【０００２】
【従来の技術】
図３は、一般的な水力発電プラントにおける水車近傍部の概略構成を示す図であって、図中符号１は水圧鉄管であって、その水圧鉄管１には入口弁２を介して水車のケーシング３が接続されている。上記ケーシング３におけるケーシング室４の中心部にランナ５が配設されており、そのランナ５とケーシング室４との間に多数のガイドベーン６が周方向に配列されている。
【０００３】
しかして、水車運転時においては、入口弁２が開かれ、水圧鉄管１から入口弁２を通って水車駆動用の水がケーシング室４に供給され、ランナ５が回転駆動される。一方、ポンプ水車の場合、ポンプ運転時にはランナ５によって汲み上げられた水がケーシング室４から入口弁２を通って水圧鉄管１に押し上げられる。
【０００４】
図４は、上記入口弁２の縦断面図であり、図中弁体の上側半分は入口弁の閉状態を表し、弁体の下半分は入口弁の開状態を表している。入口弁２の弁胴１０は弁胴本体１０ａと胴前カバー１０ｂとによりほぼ球形状に形成されており、その弁胴１０の前面側に水圧鉄管１が接続連通され、後面側にケーシング３が接続連通されている。
【０００５】
上記弁胴１０内には、その弁胴１０内を流れる水の流水方向に直交する方向に延びる上下のスピンドル１１ａによって弁胴１０に回動可能に装着された弁体１１が収容されている。上記弁体１１の前面側及び後面側には、弁体１１の全閉時に水圧鉄管１或はケーシング３と対向する円筒状のシール保持部１１ｂ1 ，１１ｂ2 が一体的に形成されており、そのシール保持部１１ｂ1 ，１１ｂ2 の端縁部にはそれぞれ環状の弁体側シール１２ａ，１２ｂが装着されている。
【０００６】
一方、弁胴１０には、全閉状態の弁体１１の上記弁体側シール１２ａ，１２ｂと対向する位置に、それぞれ上流側可動シート１３ａ、下流側可動シート１３ｂが装着されている。図５及び図６は上記可動シート部の拡大断面図で、図５は下流側可動シート１３ｂの全閉状態、図６は下流側可動シート１３ｂの全開状態を示す。
【０００７】
弁胴１０とケーシング３との間にはリング状の可動シートライナー１４が設けられており、その弁胴１０と可動シートライナー１４との内周面にリング状の下流側可動シート１３ｂが軸線方向に摺動可能に配設されている。上記下流側可動シート１３ｂの外周面には、リング状の突条部１５が設けられており、この突条部１５が、弁胴１０と可動シートライナー１４間に形成された周方向に延びる凹状の圧力室内に摺動可能に挿入係合され、弁胴１０と突条部１５間に開側圧力室１６が形成され、突条部１５と可動シートライナー１４間に閉側圧力室１７が形成されている。また、上記下流側シート１３ｂの突条部１５の外周摺動面、及びその前後の弁胴１０及び可動シートライナー１４の内周面と摺接する部分にはそれぞれパッキン１８が設けられている。そして、上記開側圧力室１６及び閉側圧力室１７にはそれぞれ圧力水の給排管１８，１９が接続されている。
【０００８】
なお、図５及び図６は下流側可動シート部のみを示しているが、上流側可動シート１３ａも同様に構成されている。
【０００９】
ところで、上記上流側可動シート１３ａ及び下流側可動シート１３ｂを作動するための圧力水の給排管１８，１９にはそれぞれ手動配圧弁２０ａ，２０ｂが連結され、両手動配圧弁２０ａ，２０ｂには水圧鉄管１に接続された給水管２１及び排水管２２が接続されている。
【００１０】
しかして、水車の停止時には入口弁２の弁体１１が流路を遮断する方向にスピンドル１１ａを中心として回動され流路が遮断される。また、手動配圧弁２０ａ，２０ｂが作動され、上流側可動シート１３ａ及び下流側可動シート１３ｂの閉側圧力室１７にそれぞれ鉄管１内の高圧水が供給され、上流側可動シート１３ａ及び下流側可動シート１３ｂがそれぞれ閉側に移動され、それによって両可動シート１３ａ，１３ｂのシート面Ａが弁体側のシート面Ｂに圧接され流体の流路が完全に遮断される。
【００１１】
一方、入口弁２の開の状態では、開側圧力室１６に高圧水が供給され、上流側及び下流側の可動シート１３ａ，１３ｂが弁体側のシート面Ｂから離れる方向に移動され、両可動シート１３ａ，１３ｂのシート面Ａと弁体側のシート面Ｂとが離間される。
【００１２】
【発明が解決しようとする課題】
上記のような入口弁が閉状態にあるとき通常下流側可動シート１３ｂが弁体側に移動した閉状態で流水を遮断しているが、通常パッキン１８にてシールされている可動シートの開側圧力室１６と閉側圧力室１７がこれらのパッキン１８の損傷等の原因で圧力室のシールが破られると可動シート１３ｂの閉鎖力が不足し可動シートのシート面Ａと弁体のシート面Ｂに隙間が生じ漏水が発生する。
【００１３】
また、入口弁が閉状態にある場合は通常入口弁の下流側にあるガイドベーン６は閉鎖状態にありケーシング３内も一つの密閉室を形成している。可動シートのシート面Ａと弁体のシート面Ｂの隙間から鉄管内の高圧水がケーシング側へ漏れると上記ケーシング内の圧力が上昇するため可動シート１３ｂは再び弁体側へ押し付けられ可動シートのシート面Ａと弁体のシート面Ｂの隙間からの漏水量は減少する。漏水量の減少によりケーシング内の圧力は低下しはじめ可動シート１３ｂの閉鎖力は減少するため可動シートのシート面Ａと弁体のシート面Ｂの隙間が再び増す。従って漏水量は再び増加する。この繰り返しによる漏水量の変動は水圧鉄管内の水圧の変動即ち水撃波を引き起こす。
【００１４】
ところで管路水圧が上昇すると漏水量が減少するような特性をもつバルブを管路の末端に設けた管路系は、管路内に水撃波が生じて水撃波が管路末端に到達すると管路末端のバルブで増幅されて反射することが一般に知られている。上記の可動シートのシート面Ａと弁体のシート面Ｂの隙間からの漏水は管路水圧が上昇すると漏水量が減少するような特性をもつため水圧鉄管内に生じた水撃波はこの漏水部にて増幅されて反射する。この水撃波の増幅率が管路内摩擦損失による水撃波の減衰率に打ち勝つ大きさであれば水撃波は成長する。
【００１５】
このような入口弁を含む管路系に外部からの強制振動力が無いにもかかわらず水圧鉄管の水圧変動が自励的に発生する現象は、入口弁の自励振動として良く知られており、場合によっては水圧鉄管内の水圧の上昇により水圧鉄管が破損することがある。
【００１６】
本発明は、上記のような水圧鉄管水圧の自励振動が発生したときに、その水圧の上昇が所定値に達したことを感知して警報を発する入口弁及びその入口弁の自励振動防止方法を得ることを目的とする。
【００１７】
【課題を解決するための手段】
第１の発明は、弁胴の上流側及び下流側に設けられた筒状の可動シートのシート面を、閉状態の弁体におけるシート面に圧接させ流体を遮断するようにした入口弁において、上記可動シートを開側或は閉側に作動させる各圧力室、及び上記入口弁の上流側水圧鉄管の水圧を検出し、水圧が所定値に達したとき警報を発生する水圧監視装置を設けたことを特徴とする。
【００１８】
第２の発明は、弁胴の上流側及び下流側に設けられた筒状の可動シートのシート面を、閉状態の弁体におけるシート面に圧接させ流体の遮断を行うとともに、上記可動シートを開側或は閉側に作動させる各圧力室、及び入口弁の上流側水圧鉄管の水圧を監視し、水圧が所定値に達したとき警報を発生する水圧監視装置を設けた入口弁において、入口弁が閉状態の時、上流側可動シートが開側に位置し下流側可動シートが閉側に位置した状態で、下流側可動シートと弁体の両シート面からの漏水により水圧鉄管の水圧が自励振動を起こし、水圧鉄管の水圧が所定値に上昇したことが上記水圧監視装置で感知された場合に、前記上流側可動シートを閉側に作動させ自励振動を収束させることを特徴とする。
【００１９】
また、第３の発明は、入口弁が閉状態の時、上流側可動シートが開側に位置し下流側可動シートが閉側に位置した状態で、下流側可動シートと弁体の両シート面からの漏水により水圧鉄管の水圧が自励振動を起こし、水圧鉄管の水圧が所定値に上昇したことが上記水圧監視装置で感知された場合に、前記下流側可動シートを開側へ作動させ自励振動を収束させることを特徴とする。
【００２０】
さらに、第４の発明は、入口弁が閉状態のとき、上流側可動シートが開側に位置し下流側可動シートが閉側に位置した状態で、下流側可動シートと弁体の両シート面からの漏水により水圧鉄管の水圧が自励振動を起こし、水圧鉄管の水圧が所定値に上昇したことが上記水圧監視装置で感知された場合に、上記入口弁の下流側に設けられた水車またはポンプ水車のガイドベーンを開側に作動させ自励振動を収束させることを特徴とする。
【００２１】
第５の発明は、入口弁が閉状態のとき、上流側可動シート及び下流側可動シートが閉側に位置した状態で、可動シートと弁体の両シート面からの漏水により水圧鉄管の水圧が自励振動を起こし、水圧鉄管の水圧が所定値に上昇したことが上記水圧監視装置で感知された場合に、上流側可動シートと下流側可動シートの両者を開側へ作動させ自励振動を収束させることを特徴とする。
【００２２】
第６の発明は、入口弁が閉状態のとき、上流側可動シートが開側または閉側に位置し下流側可動シートが閉側に位置した状態で、可動シートと弁体の両シート面からの漏水により水圧鉄管の水圧が自励振動を起こし、水圧鉄管の水圧が所定値に上昇したことが上記水圧監視装置で感知された場合に、水圧鉄管内の水を水車またはポンプ水車の吸出管または外部に排出するため水圧鉄管に接続された鉄管排水管に設けられた鉄管排水弁を開き、自励振動を収束させることを特徴とする。
【００２３】
また、第７の発明は、入口弁が閉状態のとき、上流側可動シートが開側または閉側に位置し下流側可動シートが閉側に位置した状態で、可動シートと弁体の両シート面からの漏水により水圧鉄管の水圧が自励振動を起こし、水圧鉄管の水圧が所定値に上昇したことが上記水圧監視装置で感知された場合に、一本の導水管から分岐された複数の水路に設けられている水車のうち、上記水圧鉄管の水圧上昇が感知された水車とは別の水車の入口弁を開き、自励振動を収束させることを特徴とする。
【００２４】
【発明の実施の形態】
以下、図１及び図２を参照して本発明の実施の形態について説明する。なお、図中、図３乃至図６と同一部分には同一符号を付しその詳細な説明は省略する。
【００２５】
図１は図４と対応する図であって、可動シート部の構成は図５及び図６に示すものと全く同一である。しかして、水車の停止時には入口弁２の弁体１１が、図の上側半分に示すように、流路を遮断する方向にスピンドル１１ａを中心として回動され流路が遮断される。また、上流側可動シート１３ａ及び下流側可動シート１３ｂの閉側圧力室１７にそれぞれ圧力水の給排管１８を介して鉄管１内の高圧水が供給され、上流側可動シート１３ａ及び下流側可動シート１３ｂがそれぞれ閉側に移動され、それによって両可動シート１３ａ，１３ｂのシート面が弁体側のシート面に圧接され、流体の流路が完全に遮断される。
【００２６】
ところで、上記上流側可動シート１３ａ及び下流側可動シート１３ｂを作動をするための圧力水の給排管１８，１９は、自動配圧弁２３ａ，２３ｂにそれぞれ接続されており、両自動配圧弁２３ａ，２３ｂには水圧鉄管１に接続された給水管２１及び適宜排水路等に開口されている排水管２２が接続されている。
【００２７】
また、水圧鉄管１、及び上記圧力水の給排管１８，１９にはそれぞれ圧力検出装置２４ａ，２４ｂ，２４ｃ，２４ｄ，２４ｅが設けられており、その各圧力検出装置によって検出された圧力が所定値以上になったとき、図示しない警報装置を作動するようにしてある。
【００２８】
しかして、入口弁が閉状態において水圧鉄管１内の水圧の自励振動が発生したときその水圧鉄管１の水圧が上昇して所定値に達すると、それが圧力検出装置２４ａによって感知され、警報が発せられて自励振動現象を監視することができる。また、可動シートの開側及び閉側圧力室の水圧が常時監視されていることにより、圧力室廻りのパッキン類が損傷し圧力室のシールが破られた場合等における圧力室内の異常な圧力を感知し、それが規定値に達したとき警報が発せられ、それによってパッキン類の損傷を知ることができる。
【００２９】
また、上記圧力検出器２４ａは前記自動配圧弁２３ａ，２３ｂに接続されており、水圧鉄管１内の圧力が所定値以上になった場合に上記自動配圧弁２３ａ，２３ｂが開閉作動されるようにしてある。
【００３０】
すなわち、入口弁２の閉状態で上流側可動シート１３ａが開側に位置し下流側可動シート１３ｂが閉側に位置した状態で、パッキン１８の損傷や何らかの原因により圧力室のシールが破られる等で下流側可動シート１３ｂの閉鎖力が不足し、その下流側可動シート１３ｂのシート面と弁体１１におけるシート面との圧接面に微少隙間が生じ、この微少隙間からの漏水によって水圧鉄管内の水圧の自励振動が発生すると、圧力検出装置２４ａによって圧力上昇が感知される。そして、この圧力が所定値以上に達すると、信号が発せられ、下流側可動シート１３ｂを操作するための自動配圧弁２３ｂが作動され、下流側可動シート１３ｂの開側圧力室に水圧鉄管からの圧力水が供給される。これにより下流側可動シート１３ｂが開方向に作動される。
【００３１】
したがって、水圧鉄管の管路系は管路水圧が上昇すると漏水量が減少するような特性をもたなくなり、水撃波は鉄管内の摩擦抵抗により減衰し自励振動が収束される。
【００３２】
また、上流側可動シート１３ａ及び下流側可動シート１３ｂにおける開側圧力室１６と閉側圧力室１７のシールの状態は、開側圧力室１６または閉側圧力室１７のそれぞれの圧力を圧力検出器２４ｂ，２４ｃ，２４ｄ，２４ｅによって検出することによって監視される。
【００３３】
すなわち、開側圧力室１６と閉側圧力室１７のシールが不十分であったり、その他下流側可動シート１３ｂの何らかの損傷によって下流側可動シート１３ｂの閉鎖力不足が生じて自励振動が発生した場合には下流側可動シート１３ｂが適切に作動しないことが考えられる。
【００３４】
そこで、この場合には、水圧鉄管１内の水圧が所定値以上に達したことが圧力検出器２４ａによって検出されると、その検出信号によって上流側可動シート用の自動配圧弁２３ａが閉側へ作動される。したがって、上流側可動シート１３ａの閉側圧力室１７が水圧鉄管１内に連通する系統になり上流側可動シート１３ａが閉方向に作動され、上流側可動シート１３ａのシート面Ａと弁体のシート面Ｂとが圧接され、流水の遮断が行われて管路系の特性が変化する。すなわち、水圧鉄管内の水撃波は上流側可動シートのシート部で増幅されずに反射され、水圧鉄管の管路系は、管路水圧が上昇すると漏水量が減少するような特性をもたなくなり、上記水撃波は水圧管路内の摩擦抵抗により減衰し、自励振動が収束される。
【００３５】
また、上記のように下流側可動シート１３ｂが適切に作動しない場合には、下流側にあるガイドベーンを作動させることによって、自励振動を収束させることもできる。すなわち、前述のように水圧鉄管１内の水圧が所定値以上になり、これが検出されると、その検出信号によってガイドベーン６（図３）が開側へ作動される。
【００３６】
したがって、ケーシング室４は下流側へ開放され、水圧鉄管１からの漏水があってもケーシング室内の圧力は上昇しなくなる。そのため、水圧鉄管の管路系は管路水圧が上昇すると漏水量が減少するような特性をもたなくなり、水圧鉄管内の水撃波は水圧鉄管内の摩擦抵抗により減衰し、自励振動は収束される。
【００３７】
さらに、入口弁２が閉状態で上流側可動シート１３ａが閉側に位置し下流側可動シート１３ｂも閉側に位置した状態で水圧鉄管内の水圧の自励振動が発生した場合、水圧鉄管１の水圧上昇の検出信号によって上流側可動シート１３ａと下流側可動シート１３ｂを開側へ作動させるようにしてもよい。したがって、この場合も、水圧鉄管の管路水圧が上昇すると漏水量が減少するような特性をもたなくなり、水圧鉄管内の水撃波は水圧鉄管内の摩擦抵抗により減衰し自励振動は収束する。
【００３８】
また、図１に示すように、入口弁２の上流側で水圧鉄管１に排水弁２５を有する排水管２６を設け、前記自励振動が発生したとき排水弁２５を開方向に制御するようにしてもよい。しかして、この場合水圧鉄管１内の水圧が上昇すると、排水管２６から排出される流量が増加するため、管路系の特性が変化し、自励振動のサイクルが断ち切られて、水撃波は水圧鉄管内の摩擦抵抗により減衰し自励振動を収束させることができる。
【００３９】
一方、図２に示すように、上流側水源（図示せず）に接続された一本の導水管２７から分岐された水圧鉄管２８ａ，２８ｂ，２８ｃにそれぞれ水車２９ａ，２９ｂ，２９ｃを接続し、各水車２９ａ，２９ｂ，２９ｃの上流側に入口弁２ａ，２ｂ，２ｃを設けたプラントにおいては、例えば入口弁２ａを有する管路において自励振動が発生し、水圧鉄管２８ａ内の水圧が上昇し、所定圧以上になった場合には、水圧上昇が感知された以外の水車の入口弁例えば入口弁２ｂを開方向に制御するようにしてもよい。
【００４０】
しかして、この場合、一つの水圧鉄管の水圧が上昇したとき、水圧上昇が感知された以外の他号機の水車への流量が増加するため、上記水圧上昇した管路系の特性が変化し、自励振動のサイクルが変えられ、水撃波は水圧鉄管内の摩擦抵抗により減衰し、自励振動の収束が行われる。
【００４１】
【発明の効果】
以上説明したように、本願第１の発明は弁胴の上流側及び下流側に設けられた筒状の可動シートのシート面を、閉状態の弁体におけるシート面に圧接させ流体を遮断するようにした入口弁において、上記可動シートを開側或は閉側に作動させる各圧力室、及び上記入口弁の上流側水圧鉄管の水圧を検出し、水圧が所定値に達したとき警報を発生する水圧監視装置を設けたので、上記入口弁を有す管路系統における自励振動現象の発生を常時監視することができ、また可動シートにおけるパッキン類の損傷を検知することができる。また、第２〜第６の発明においては、自励振動発生による圧力上昇に対応して、管路系の圧力上昇により漏水量が減少するという管路系特性を変化させることができ、自励振動のサイクルを断ち切り、容易に上記自励振動を収束させることができ、水圧鉄管の破損等を未然に防止することができる等の効果を奏する。
【図面の簡単な説明】
【図１】本発明における入口弁の縦断面及び可動シートの給排水系統を示す図。
【図２】本発明の一実施例を適用する一条多分岐の水圧鉄管の水路を示す図。
【図３】水車と入口弁との関連を示す図。
【図４】従来の入口弁及び可動シートの給排系統を示す図。
【図５】下流側可動シート部の拡大断面図で、可動シートが閉状態を示す図。
【図６】下流側可動シート部の拡大断面図で、可動シートが開状態を示す図。
【符号の説明】
１  水圧鉄管
２  入口弁
３  水車のケーシング
５  ランナ
６  ガイドベーン
１０  弁胴
１１  弁体
１２ａ，１２ｂ  弁体側シール
１３ａ  上流側可動シート
１３ｂ  下流側可動シート
１４  可動シートライナー
１６  開側圧力室
１７  閉側圧力室
１８，１９  圧力水の給排管
２１  給水管
２２  排水管
２３ａ，２３ｂ  自動配圧弁
２４ａ，２４ｂ，２４ｃ，２４ｄ，２４ｅ  圧力検出装置
２５  排水弁
２６  排水管
【図１】
0003740279.tif 000002
【図２】
0003740279.tif 000003
【図３】
0003740279.tif 000004
【図４】
0003740279.tif 000005
【図５】
0003740279.tif 000006
【図６】
0003740279.tif 000007